(57)【特許請求の範囲】
【請求項１】
衣類を収容する回転ドラムと、
前記回転ドラムを回転させるドラム駆動部と、
本体ケース外から吸引された空気を、前記回転ドラム内で吹出口から排出口に向かって通過させ、本体ケース外へ排気する給排気ファンと、
前記給排気ファンを駆動するファン駆動部と、
前記回転ドラム内へ供給する空気を加熱する加熱部と、
前記給排気ファンの回転数を検知する衣類張り付き検知部と、
運転制御部と、を有する衣類乾燥機であって、
前記運転制御部は、前記ドラム駆動部、前記ファン駆動部、及び前記加熱部を作動させ、一定の基準通電量で前記ファン駆動部を制御しながら、前記回転ドラム内に加熱された空気を供給して衣類を乾燥する乾燥運転中に、前記衣類張り付き検知部により検知される前記給排気ファンの回転数に基づき前記排出口への衣類の張り付きが発生したと判定した場合、前記ファン駆動部及び前記加熱部を停止し、加熱された空気が前記回転ドラム内に供給されない状態で、前記回転ドラムを所定時間、回転させる空運転を実行し、
前記所定時間の空運転の実行後に、前記ファン駆動部を作動させて、前記衣類張り付き検知部で検知される前記給排気ファンの回転数に基づき前記排出口から衣類が剥がれたことを判定するチェック運転を実行し、
前記チェック運転において、前記衣類張り付き検知部で検知される前記給排気ファンの回転数に基づき前記排出口から衣類が剥がれたことが検知されると、前記加熱部を作動させて、前記乾燥運転を再開し、前記衣類張り付き検知部で検知される前記給排気ファンの回転数に基づき前記排出口への衣類の張り付きが検知されると、前記ファン駆動部を停止して、前記空運転を再開する衣類乾燥機。
【請求項２】
請求項１に記載の衣類乾燥機において、
前記運転制御部は、前記乾燥運転中に、前記衣類張り付き検知部により検知される前記給排気ファンの回転数が第１中断回転数以上である場合、前記排出口への衣類の張り付きが発生したと判定して、前記空運転を所定時間実行し、
前記所定時間の空運転の実行後に、前記ファン駆動部を作動させて、前記衣類張り付き検知部により検知される前記給排気ファンの回転数が第１再開許容回転数以下かどうかを判定する第１チェック運転を実行し、
前記第１チェック運転において、前記給排気ファンの回転数が前記第１再開許容回転数以下である場合、前記加熱部を作動させて、前記乾燥運転を再開し、前記給排気ファンの回転数が前記第１再開許容回転数より大きい場合、前記ファン駆動部を停止して、前記空運転を再開する衣類乾燥機。
【請求項３】
請求項１に記載の衣類乾燥機において、
前記運転制御部は、前記乾燥運転中に、前記衣類張り付き検知部により検知される前記給排気ファンの回転数の一定時間内の変化量が第２中断回転数以上である場合、前記排出口への衣類の張り付きが発生したと判定して、前記空運転を所定時間実行し、
前記所定時間の空運転の実行後に、前記ファン駆動部を作動させて、前記衣類張り付き検知部により検知される前記給排気ファンの回転数の一定時間内の変化量が第２再開許容回転数以下かどうかを判定する第２チェック運転を実行し、
前記第２チェック運転において、前記給排気ファンの回転数の一定時間内の変化量が前記第２再開許容回転数以下である場合、前記加熱部を作動させて、前記乾燥運転を再開し、前記給排気ファンの一定時間内の回転数の変化量が前記第２再開許容回転数より大きい場合、前記ファン駆動部を停止して、前記空運転を再開する衣類乾燥機。
【請求項４】
請求項１に記載の衣類乾燥機において、
前記運転制御部は、前記乾燥運転中に、前記衣類張り付き検知部により検知される前記給排気ファンの回転数と、乾燥運転初期における前記給排気ファンの初期回転数との差が第３中断回転数以上である場合、前記排出口への衣類の張り付きが発生したと判定して、前記空運転を所定時間実行し、
前記所定時間の空運転の実行後に、前記ファン駆動部を作動させて、前記衣類張り付き検知部により検知される前記給排気ファンの回転数と前記初期回転数との差が第３再開許容回転数以下かどうかを判定する第３チェック運転を実行し、
前記第３チェック運転において、前記給排気ファンの回転数と前記初期回転数との差が前記第３再開許容回転数以下である場合、前記加熱部を作動させて、前記乾燥運転を再開し、前記給排気ファンの回転数と前記初期回転数との差が前記第３再開許容回転数より大きい場合、前記ファン駆動部を停止して、前記空運転を再開する衣類乾燥機。
【請求項５】
請求項１〜４のいずれか１項に記載の衣類乾燥機において、
前記運転制御部は、前記空運転を連続して複数回実行後に、前記衣類張り付き検知部で検知される前記給排気ファンの回転数に基づき前記排出口への衣類の張り付きが検知されると、前記ドラム駆動部を停止して、運転エラーを報知する衣類乾燥機。
【発明の詳細な説明】
【技術分野】
【０００１】
本発明は、衣類乾燥機に関する。
【背景技術】
【０００２】
従来、衣類が収容される回転ドラムをドラムモータにより回転駆動しながら、給排気ファンで本体ケース外から空気を吸引するとともに、吸引された空気をガスバーナや電気ヒータなどの加熱源で加熱して、回転ドラム内に加熱された空気を供給することにより、衣類を乾燥する衣類乾燥機が知られている。
【０００３】
上記衣類乾燥機で乾燥運転を行う場合、回転ドラム内で衣類を均一に乾燥させるために、衣類の絡み合いや偏りを防止して、加熱された空気が衣類に均一に当たるようにすることが望まれる。そのため、回転ドラムは、その内周面から径方向に突出するとともに幅方向に延在する複数のリフタを備えており、回転に伴って、衣類を該リフタによりある程度持ち上げては衣類の自重により落下させるようにしている。
【０００４】
また、シーツ等の薄手で大型の衣類は回転ドラム内で塊状になる傾向があり、そのためリフタを乗り越えて転動し、リフタにより持ち上げられ難くなることから、乾燥運転中に回転ドラムの回転数を一時停止したり、低減することが提案されている（例えば、特許文献１）。
【先行技術文献】
【特許文献】
【０００５】
【特許文献１】特開２００２−２３３６９７号公報
【発明の概要】
【発明が解決しようとする課題】
【０００６】
ところで、この種の衣類乾燥機では、衣類を短時間で乾燥させるために回転ドラム内に加熱された大量の空気を通過させているが、ナイロン製のエプロンや厚手のマット類などの通風性に劣る衣類を乾燥させると、これらが回転ドラムあるいは扉に設けられた排出口に張り付く場合がある。このような排出口への衣類の張り付きが生じると、排出口から給排気ファンまでの圧力が低下して衣類が排出口に強く吸引されるため、特許文献１のような回転ドラムの回転数の制御を行っても衣類が排出口から剥がれ難くなる。そのため、回転ドラム内を通過する加熱された空気の通気性が急激に低下し、それに伴って本体ケース内に吸引される空気の量が低下する。その結果、加熱源近傍の空気の温度が急激に上昇して、回転ドラム内に供給される空気の温度が短時間で高温となり、衣類を傷めるという問題がある。
【０００７】
この場合、衣類温センサなどの温度センサにより回転ドラム内の温度を測定し、検知温度が所定温度以上になると加熱源を停止するとともに、回転ドラムを停止させることも考えられる。しかしながら、温度センサは即答性に劣るため、排出口への衣類の張り付きによる急激な温度上昇を短時間で検知できないという問題がある。また、回転ドラム内で衣類は転動しているため、衣類の一部が高温の空気で過熱されていても、衣類全体の温度が上昇しなければ温度センサで高温が検知され難い。さらに、上記のように一旦、排出口に張り付いた衣類は給排気ファンによって排出口に強く吸引されているため、回転ドラムを停止させるだけでは衣類が排出口から容易に剥がれず、その結果、加熱源の停止によって回転ドラム内の温度が低下すると、衣類が排出口に張り付いた状態で乾燥運転が再開されるという問題がある。
【０００８】
本発明は上記課題を解決するためになされたものであり、本発明の目的は、乾燥運転中に排出口に衣類が張り付いた場合でも、排出口から衣類を容易に剥がすことができ、高温に加熱された空気による衣類の損傷を迅速に防ぐことが可能な衣類乾燥機を提供することにある。
【課題を解決するための手段】
【０００９】
本発明は、衣類を収容する回転ドラムと、
前記回転ドラムを回転させるドラム駆動部と、
本体ケース外から吸引された空気を、前記回転ドラム内で吹出口から排出口に向かって通過させ、本体ケース外へ排気する給排気ファンと、
前記給排気ファンを駆動するファン駆動部と、
前記回転ドラム内へ供給する空気を加熱する加熱部と、
前記給排気ファンの回転数を検知する衣類張り付き検知部と、
運転制御部と、を有する衣類乾燥機であって、
前記運転制御部は、前記ドラム駆動部、前記ファン駆動部、及び前記加熱部を作動させ、一定の基準通電量で前記ファン駆動部を制御しながら、前記回転ドラム内に加熱された空気を供給して衣類を乾燥する乾燥運転中に、前記衣類張り付き検知部により検知される前記給排気ファンの回転数に基づき前記排出口への衣類の張り付きが発生したと判定した場合、前記ファン駆動部及び前記加熱部を停止し、加熱された空気が前記回転ドラム内に供給されない状態で、前記回転ドラムを所定時間、回転させる空運転を実行し、
前記所定時間の空運転の実行後に、前記ファン駆動部を作動させて、前記衣類張り付き検知部で検知される前記給排気ファンの回転数に基づき前記排出口から衣類が剥がれたことを判定するチェック運転を実行し、
前記チェック運転において、前記衣類張り付き検知部で検知される前記給排気ファンの回転数に基づき前記排出口から衣類が剥がれたことが検知されると、前記加熱部を作動させて、前記乾燥運転を再開し、前記衣類張り付き検知部で検知される前記給排気ファンの回転数に基づき前記排出口への衣類の張り付きが検知されると、前記ファン駆動部を停止して、前記空運転を再開する衣類乾燥機である。
【００１０】
上記衣類乾燥機によれば、衣類張り付き検知部により排出口への衣類の張り付きが検知されると、ファン駆動部が停止されるから、回転ドラム内を空気が通過せず、衣類が排出口に吸引される力が弱くなる。そして、ファン駆動部及び加熱部が停止されて、ドラム駆動部のみが作動を継続する空運転が実行される。このため、回転ドラム内に空気が供給されない状態で衣類が回転され、排出口に張り付いた衣類が排出口から剥がれやすくなる。さらに、上記空運転の間はファン駆動部及び加熱部が停止されるから、回転ドラム内に加熱された空気が供給されず、空運転中に高温に加熱された空気によって衣類が損傷することもない。
また、乾燥運転中に衣類が排出口に張り付くと、本体ケース内に吸い込まれる空気の量が急激に低下するが、一定の基準通電量でファン駆動部が制御される場合、給排気ファンの回転数は空気量の減少に伴って増加する。一方、空運転によって衣類が排出口から剥がれた場合、回転ドラム内の空気の通気性が改善されるから、給排気ファンの回転数は空気量の増加に伴って減少する。従って、給排気ファンの回転数を検知する衣類張り付き検知部を用いれば、早期に排出口への衣類の張り付きの有無を検知できる。
さらに、上記衣類乾燥機によれば、ドラム駆動部のみを作動する空運転後に、加熱部を作動させず、ファン駆動部を作動させて、加熱されていない空気が回転ドラム内に供給される状態で、回転ドラムを回転させるチェック運転が行われ、給排気ファンの回転数に基づき排出口から衣類が剥がれたことが検知されると、加熱部を作動させて乾燥運転が再開されるから、衣類乾燥機全体の運転を停止することなく、早期に衣類を乾燥できる。また、空運転後でも排出口への衣類の張り付きが検知されると、ファン駆動部を停止させて空運転が再開されるから、衣類を確実に排出口から剥がすことができるとともに、衣類が排出口に張り付いた状態で乾燥運転が再開されるのを防止できる。
【００１７】
上記衣類乾燥機において、好ましくは、前記運転制御部は、前記乾燥運転中に、前記衣類張り付き検知部により検知される前記給排気ファンの回転数が第１中断回転数以上である場合、前記排出口への衣類の張り付きが発生したと判定して、前記空運転を所定時間実行し、
前記所定時間の空運転の実行後に、前記ファン駆動部を作動させて、前記衣類張り付き検知部により検知される前記給排気ファンの回転数が第１再開許容回転数以下かどうかを判定する第１チェック運転を実行し、
前記第１チェック運転において、前記給排気ファンの回転数が前記第１再開許容回転数以下である場合、前記加熱部を作動させて、前記乾燥運転を再開し、前記給排気ファンの回転数が前記第１再開許容回転数より大きい場合、前記ファン駆動部を停止して、前記空運転を再開する。
【００１８】
既述したように、一定の基準通電量でファン駆動部が制御される場合、排出口への衣類の張り付きに起因する空気量の減少に伴って給排気ファンの回転数が増加する。従って、給排気ファンの回転数が第１中断回転数以上である場合を排出口への衣類の張り付きとして検知すれば、確実に排出口への衣類の張り付きを検知することができる。
【００２０】
また、上記衣類乾燥機によれば、ドラム駆動部のみが作動されている空運転後に、加熱部は作動させず、ファン駆動部を作動して、加熱されていない空気が回転ドラム内に供給される状態で、回転ドラムを回転させる第１チェック運転が行われる。従って、空運転によって衣類が排出口から剥がれた場合、回転ドラム内の空気の通気性が改善されて、それによって給排気ファンの回転数は低下しているはずであるから、該給排気ファンの回転数が第１再開許容回転数以下であるかどうかを判定することにより、衣類が過熱されることなく、確実に衣類が排出口に張り付いているかどうかを判定できる。そして、上記第１チェック運転では、ファン駆動部及びドラム駆動部は作動している状態であるから、給排気ファンの回転数が第１再開許容回転数以下である場合、加熱部を作動させることにより、短時間で乾燥運転を再開することができる。
一方、第１チェック運転において、給排気ファンの回転数が第１再開許容回転数より大きければ、衣類が排出口から剥がれていないと判定できるから、再度ファン駆動部を停止して、ドラム駆動部のみを作動させる空運転を再開すれば、衣類を確実に排出口から剥がすことができる。
【００２１】
また、上記衣類乾燥機において、好ましくは、前記運転制御部は、前記乾燥運転中に、前記衣類張り付き検知部により検知される前記給排気ファンの回転数の一定時間内の変化量が第２中断回転数以上である場合、前記排出口への衣類の張り付きが発生したと判定して、前記空運転を所定時間実行し、
前記所定時間の空運転の実行後に、前記ファン駆動部を作動させて、前記衣類張り付き検知部により検知される前記給排気ファンの回転数の一定時間内の変化量が第２再開許容回転数以下かどうかを判定する第２チェック運転を実行し、
前記第２チェック運転において、前記給排気ファンの回転数の一定時間内の変化量が前記第２再開許容回転数以下である場合、前記加熱部を作動させて、前記乾燥運転を再開し、前記給排気ファンの一定時間内の回転数の変化量が前記第２再開許容回転数より大きい場合、前記ファン駆動部を停止して、前記空運転を再開する。
【００２２】
既述したように、一定の基準通電量でファン駆動部が制御される場合、排出口への衣類の張り付きに起因する空気量の減少に伴って極めて短時間で給排気ファンの回転数が増加する。従って、一定時間内の給排気ファンの回転数の変化量が第２中断回転数以上であれば、給排気ファンの回転数が上記した第１中断回転数以上に増加するのを待つことなく、さらに早期に空運転に移行することができる。これにより、衣類の損傷をより迅速に防ぐことができる。
【００２４】
また、上記衣類乾燥機によれば、ドラム駆動部のみが作動されている空運転後に、加熱部は作動させず、ファン駆動部を作動して、加熱されていない空気が回転ドラム内に供給される状態で、回転ドラムを回転させる第２チェック運転が行われる。従って、空運転によって衣類が排出口から剥がれていた場合、回転ドラム内の空気の通気性が改善されて、それによって給排気ファンの回転数は低下しているはずであるから、一定時間内の該給排気ファンの回転数の変化量が第２再開許容回転数以下であるかどうかを判断することにより、衣類が過熱されることなく、確実に衣類が排出口に張り付いているかどうかを迅速に判定できる。そして、上記第２チェック運転では、ファン駆動部及びドラム駆動部は作動している状態であるから、給排気ファンの回転数の変化量が第２再開許容回転数以下である場合、加熱部を作動させることにより、短時間で乾燥運転を再開することができる。
一方、第２チェック運転において、給排気ファンの回転数の変化量が第２再開許容回転数より大きければ、衣類が排出口から剥がれていないと判定できるから、再度ファン駆動部を停止して、ドラム駆動部のみを作動させる空運転を再開すれば、衣類を確実に排出口から剥がすことができる。
【００２５】
さらに、上記衣類乾燥機において、好ましくは、前記運転制御部は、前記乾燥運転中に、前記衣類張り付き検知部により検知される前記給排気ファンの回転数と、乾燥運転初期における前記給排気ファンの初期回転数との差が第３中断回転数以上である場合、前記排出口への衣類の張り付きが発生したと判定して、前記空運転を所定時間実行し、
前記所定時間の空運転の実行後に、前記ファン駆動部を作動させて、前記衣類張り付き検知部により検知される前記給排気ファンの回転数と前記初期回転数との差が第３再開許容回転数以下かどうかを判定する第３チェック運転を実行し、
前記第３チェック運転において、前記給排気ファンの回転数と前記初期回転数との差が前記第３再開許容回転数以下である場合、前記加熱部を作動させて、前記乾燥運転を再開し、前記給排気ファンの回転数と前記初期回転数との差が前記第３再開許容回転数より大きい場合、前記ファン駆動部を停止して、前記空運転を再開する。
【００２６】
既述したように、一定の基準通電量でファン駆動部が制御される場合、排出口への衣類の張り付きに起因する空気量の減少に伴って短時間で給排気ファンの回転数が増加する。一方、衣類の量によって回転ドラム内の通気性は変化するから、乾燥運転初期における給排気ファンの初期回転数は変化する。従って、乾燥運転中の給排気ファンの回転数と乾燥運転初期における初期回転数との差が第３中断回転数以上である場合に排出口への衣類の張り付きが発生したと判定すれば、衣類の量に関わらず、早期に空運転に移行することができる。これにより、衣類の損傷を迅速に防ぐことができる。
また、上記衣類乾燥機によれば、ドラム駆動部のみが作動されている空運転後に、加熱部は作動させず、ファン駆動部を作動して、加熱されていない空気が回転ドラム内に供給される状態で、回転ドラムを回転させる第３チェック運転が行われる。従って、空運転によって衣類が排出口から剥がれていた場合、回転ドラム内の空気の通気性が改善されて、それによって給排気ファンの回転数は低下しているはずであるから、該給排気ファンの回転数と初期回転数との差が第３再開許容回転数以下であるかどうかを判断することにより、衣類が過熱されることなく、確実に衣類が排出口に張り付いているかどうかを判定できる。そして、上記第３チェック運転では、ファン駆動部及びドラム駆動部は作動している状態であるから、給排気ファンの回転数と初期回転数との差が第３再開許容回転数以下である場合、加熱部を作動させることにより、短時間で乾燥運転を再開することができる。
一方、第３チェック運転において、給排気ファンの回転数と初期回転数との差が第３再開許容回転数より大きければ、衣類が排出口から剥がれていないと判定できるから、再度ファン駆動部を停止して、ドラム駆動部のみを作動させる空運転を再開すれば、衣類を確実に排出口から剥がすことができる。
【００２７】
上記衣類乾燥機のいずれかにおいて、
前記運転制御部は、前記空運転を連続して複数回実行後に、前記衣類張り付き検知部により前記排出口への衣類の張り付きが検知されると、前記ドラム駆動部を停止して、運転エラーを報知してもよい。
【００２８】
上記衣類乾燥機によれば、ファン駆動部及び加熱部が停止され、ドラム駆動部のみが作動される空運転を連続して複数回実行しても排出口への衣類の張り付きが検知される場合、回転ドラム内の衣類の回転だけによっては排出口から衣類を剥がすことができないから、ドラム駆動部も停止して、運転エラーを報知すれば、不要な運転を早期に中止できるとともに、使用者に衣類の張り付きを認識させることができる。
【発明の効果】
【００２９】
以上説明したように、本発明によれば、乾燥運転中に、排出口へ衣類が張り付いた場合でも、排出口から衣類を容易に剥がすことができる。これにより、高温に加熱された空気による衣類の損傷を迅速に防止することができる。
【図面の簡単な説明】
【００３０】
【図１】図１は、本発明の実施の形態に係る衣類乾燥機の一例を示す概略断面図である。
【図２】図２は、本発明の実施の形態に係る衣類乾燥機の制御動作の一例を示す制御フロー図である。
【図３】図３は、本発明の実施の形態に係る衣類乾燥機の制御動作の他の一例を示す制御フロー図である。
【図４】図４は、本発明の実施の形態に係る衣類乾燥機の制御動作のさらに他の一例を示す制御フロー図である。
【図５】図５は、本発明の実施の形態に係る衣類乾燥機における給排気ファンの回転数と排出口への衣類の張り付き状態との関係を示すグラフである。
【発明を実施するための形態】
【００３１】
以下、図面を参照しながら本実施の形態の衣類乾燥機を具体的に説明する。
【００３２】
図１は、本発明の実施の形態に係る衣類乾燥機の一例を示す概略断面図である。
【００３３】
図１に示すように、本発明の実施の形態に係る衣類乾燥機は、矩形箱状の本体ケース１０と、本体ケース１０の正面側に開設された衣類取出口１０１を被蓋する扉１１とでその外郭が構成されている。
【００３４】
本体ケース１０内には、衣類Ｍを収容する一端開放円筒状で、内周壁にリフタ（図示せず）が設けられた回転ドラム１２が収容されている。この回転ドラム１２は、開放端が本体ケース１０の正面に面するように略９０度傾倒した横向き姿勢で本体ケース１０内に組み込まれており、その正面開放部の内周面が衣類取出口１０１の内側外周に固設されたリング板１３の外周に遊接支持され、奥壁１２１の中心部が本体ケース１０内奥側の固定壁１０２に設けられた支軸１４に支持されている。
【００３５】
支軸１４を支持する固定壁１０２には、本体ケース１０内の空気を回転ドラム１２の奥壁１２１と固定壁１０２との間隙Ｓ１へ取り込むための空気取込口１０４が開設されており、後述する給排気ファン１８を作動した際、本体ケース１０内の空気がこの空気取込口１０４を通って上記間隙Ｓ１内へ導かれるようになっている。
【００３６】
さらに、固定壁１０２の上記間隙Ｓ１側の面には、回転ドラム１２の奥壁１２１へ向かって開放する筒状の遮熱板１０５が所定の間隔をもって支軸１４の外周を囲うように配設されている。
【００３７】
また、回転ドラム１２には、ドラム駆動部であるドラムモータ１２２が接続されており、回転ドラム１２は、このドラムモータ１２２の駆動力によって上記支軸１４を中心に自在に回動するよう構成されている。
【００３８】
回転ドラム１２の奥壁１２１には、複数の吹出口１２３が形成されており、この奥壁１２１の裏側には、本体ケース１０内の空気や後述するガスバーナ１６１から放出された燃焼ガスを上記吹出口１２３へ導くための温風ダクト１５が配設されている。
【００３９】
温風ダクト１５は、回転ドラム１２の奥壁１２１の裏側から回転ドラム１２下方の本体ケース１０内下部の空間まで延設されており、その上流端である下端開放部の下方には、温風ダクト１５を通じて回転ドラム１２内へ導かれる空気を加熱する加熱部であるバーナユニット１６が配設されている。
【００４０】
バーナユニット１６は、加熱源のガスバーナ１６１や弁装置１６２等で構成されており、弁装置１６２に組み込まれた図示しない比例弁を開放すると、バーナユニット１６周辺の空気とともにガスバーナ１６１内へ所定量のガスが送り込まれ、そのガスバーナ１６１の炎孔上方で着火する。そして、送り込まれたガスは燃焼ガスとして温風ダクト１５内へ放出され、ドラフト効果によってその温風ダクト１５の下端開放部へ導かれた本体ケース１０内の空気を加熱しつつ、その加熱された空気とともに温風ダクト１５の下流端から吹出口１２３を通じて回転ドラム１２内へ供給される。
【００４１】
回転ドラム１２の上方で且つ本体ケース１０内上部の空間には、後述する連絡通路１１０から導かれた回転ドラム１２内の空気を本体ケース１０外へ導くための排気ダクト１７が配設されている。
【００４２】
排気ダクト１７の一端側の排気入口１７１は、本体ケース１０の正面側で且つ衣類取出口１０１の上側に開設されており、他端側の排気出口１７２は、本体ケース１０上面に開設されている。また、排気ダクト１７の中間部には、本体ケース１０の外部の空気やガスバーナ１６１によって加熱された空気を回転ドラム１２内へ送り込むための給排気ファン１８が組み込まれている。
【００４３】
給排気ファン１８には、ファン駆動部であるファンモータ１８１が接続されており、給排気ファン１８は、このファンモータ１８１の駆動力によって支軸１８２を中心に自在に回動するよう構成されている。このように回転ドラム１２と給排気ファン１８とをそれぞれ異なる駆動源で駆動することにより、後述する排出口１１１へ衣類Ｍが張り付いた場合に、回転ドラム１２と給排気ファン１８とを独立して回転及び停止させることができる。
【００４４】
また、ファンモータ１８１には、衣類張り付き検知部として給排気ファン１８の回転数を検知する回転数センサ１８３が設けられている。この回転数センサ１８３は、ファンモータ１８１の一回転毎に所定数のパルスを発生するホールＩＣにより構成されており、回転数センサ１８３で検知された信号は、制御回路３０に出力される。
【００４５】
一方、扉１１の内側には、扉１１が閉じられた状態において衣類取出口１０１へ繋がる排出口１１１と、上記排気入口１７１へ繋がる連結口１１２とが設けられており、扉１１の内部には、これら排出口１１１及び連結口１１２相互を繋ぐ空気の連絡通路１１０が形成されている。
【００４６】
従って、扉１１が閉じられた状態でファンモータ１８１を作動させて、給排気ファン１８を回転させると、本体ケース１０外から本体ケース１０内に空気が吸い込まれ、吹出口１２３から回転ドラム１２内に供給される。そして、回転ドラム１２内に供給された空気は排出口１１１に向かって流れ、排出口１１１から扉１１内部の連絡通路１１０を通って排気ダクト１７内へ送り出され、さらに排気出口１７２から本体ケース１０外へ排出される。
【００４７】
本体ケース１０の側面には、本体ケース１０の内外を繋ぐ給気口１０３が設けられており、給排気ファン１８によって回転ドラム１２内へ送り込まれる空気は、この給気口１０３から本体ケース１０内へ取り込まれる。
【００４８】
排出口１１１の連絡通路１１０側には、取り外し可能な網目状のフィルタ１９が装着されており、回転ドラム１２内の空気が排出口１１１及び連絡通路１１０を介して排気ダクト１７内へ送り出される際、このフィルタ１９によって回転ドラム１２内に浮遊するごみや糸くずが除去される。
【００４９】
排出口１１１に対向する回転ドラム１２の奥側には、衣類Ｍの温度を検知するための衣類温センサ２０が設けられている。具体的には、支軸１４の回転ドラム１２内側の端部には、支軸１４の中心である回転ドラム１２の回転中心から外周方向へ張り出す円板状のフランジ１４１が固設されており、回転ドラム１２の奥壁１２１から内側に突出するフランジ１４１の前面に衣類温センサ２０が取り付けられている。この衣類温センサ２０で検知された信号は、制御回路３０に出力される。
【００５０】
なお、フランジ１４１の外周は、回転ドラム１２の奥壁１２１に固設された円環状の軸カバー１２５で覆われている。この軸カバー１２５の内周縁とフランジ１４１の外周端面との間には、回転ドラム１２が回動してもそれら相互が接触しないよう、所定の間隙が形成されている。
【００５１】
本体ケース１０の扉１１の前面下方には、運転スイッチや停止スイッチ等の各種操作スイッチの他、運転エラーを表示するランプなどが配置された操作部４０が配設されている。
【００５２】
図１に示したように、本体ケース１０内には、回転ドラム１２の回転動作やバーナユニット１６による空気の加熱動作、給排気ファン１８の回転動作等、衣類乾燥機全体の運転を制御する運転制御部として制御回路３０が組み込まれており、上述したドラムモータ１２２、弁装置１６２、ファンモータ１８１、回転数センサ１８３、衣類温センサ２０、操作スイッチ、ランプ等は、この制御回路３０に電気配線を通じて接続されている。
【００５３】
図示しないが、制御回路３０は、ドラムモータ１２２の作動及び停止を行うドラム作動回路、ファンモータ１８１の作動及び停止を行うファン作動回路、バーナユニット１６の作動及び停止を行うことによりガスバーナ１６１の点火及び消火を行う点消火回路、衣類Ｍの乾燥状態に基づいて乾燥運転の終了時期を判定する乾燥判定回路、回転数センサ１８３から出力される給排気ファン１８の回転数を監視する監視回路、給排気ファン１８の回転数に基づき排出口１１１への衣類Ｍの張り付きを判定する張り付き判定回路等によって構成されており、これら各回路によって乾燥運転、空運転、チェック運転等の各種運転が実行される。
【００５４】
まず、乾燥運転における運転動作について説明する。使用者が運転スイッチをオンする乾燥運転の開始操作がなされると、所定の基準通電量でファンモータ１８１を作動して給排気ファン１８を回転させるとともに、ドラムモータ１２２を作動して回転ドラム１２を回転させ、さらにバーナユニット１６を作動してガスバーナ１６１を点火する一連の初期乾燥動作が開始される。すると、給排気ファン１８の回転によって本体ケース１０外から本体ケース１０内に吸い込まれた空気がガスバーナ１６１から放出された燃焼ガスによって加熱されつつ、その燃焼ガスとともに温風ダクト１５内へ導かれ、吹出口１２３から回転ドラム１２内へ供給される。そして、回転ドラム１２内へ供給された加熱された空気は、衣類Ｍの水分を蒸発させつつ扉１１の内側の排出口１１１に向かって流れ、排出口１１１を介して連絡通路１１０に排出される。さらに、連絡通路１１０に排出された加熱された空気は、連絡通路１１０を通じて排気ダクト１７へ導かれ、排気出口１７２から本体ケース１０の外部へ排出される。その結果、衣類Ｍは、回転ドラム１２内で撹拌されながら、次第に乾燥していく。なお、本実施の形態では、回転ドラム１２内に衣類Ｍが入れられていない状態で、ファンモータ１８１を作動させた場合に、１，８００〜１，９００ｒｐｍの回転数の範囲で給排気ファン１８が回転するように基準通電量が設定されてある。
【００５５】
乾燥運転中に衣類温センサ２０に接触した衣類Ｍの温度が予め設定された基準温度より高ければ、図示しない比例弁を所定の開度まで絞って燃焼ガスの放出量を減少させ、空気の加熱度合を減少させる。一方、上記衣類Ｍの温度が基準温度より低ければ、図示しない比例弁を所定の開度まで開いて燃焼ガスの放出量を増加させ、空気の加熱度合を増加させる。
【００５６】
その後、衣類Ｍが所定の乾燥状態になれば、ガスバーナ１６１を消火させるとともに、給排気ファン１８及び回転ドラム１２を回転させた状態で維持し、衣類Ｍの冷却動作を行う。その結果、衣類Ｍは、回転ドラム１２内で撹拌されながら、次第に除熱されていく。そして、冷却動作を開始してから所定時間が経過すれば、衣類Ｍが適度に冷却されたものとして、給排気ファン１８及び回転ドラム１２の回転を停止させ、運転を終了する。
【００５７】
（実施の形態１）
次に、乾燥運転中に排出口１１１への衣類Ｍの張り付きが生じた場合の運転動作の一例について、図２の制御フロー、及び図５の給排気ファン１８の回転数の変化を示すグラフを参照して具体的に説明する。なお、図５は、上述した衣類乾燥機で、回転ドラム１２内にナイロン製のシートを投入し、乾燥運転を行った際の給排気ファン１８の回転数の変化を測定した結果である。
【００５８】
上記乾燥運転が開始されると（ステップＳＴ１）、制御回路３０は、排出口１１１への衣類Ｍの張り付きを検知する時に使用する空運転の連続実行回数の履歴カウンタを０にリセットする（ステップＳＴ２）。
【００５９】
次いで、制御回路３０は、監視回路により回転数センサ１８３から出力される給排気ファン１８の回転数を監視し、給排気ファン１８の回転数が所定の第１中断回転数（例えば、２，０００ｒｐｍ）以上になるかどうかを張り付き判定回路により判定する（ステップＳＴ３）。
【００６０】
すなわち、図５に示すように、乾燥運転が開始されると、略一定の回転数で給排気ファン１８は回転するが、乾燥運転中に急激に回転数が増加する現象が発生することが分かる。これは、排出口１１１に衣類Ｍが張り付き、その結果、回転ドラム１２内を通過する加熱された空気の量が急減したためである。従って、乾燥運転が開始された後、給排気ファン１８の回転数が所定の第１中断回転数以上に増加した場合、衣類Ｍが排出口１１１に張り付いたと判定できる。このように給排気ファン１８の回転数を利用して排出口１１１への衣類Ｍの張り付きを検知すれば、図５に示すように、排出口１１１に衣類Ｍが張り付いた場合、急激に給排気ファン１８の回転数が増加するため、温度センサによる加熱された空気の温度を測定する場合よりも迅速に衣類Ｍの張り付きを検知できる。
【００６１】
上記のような排出口１１１に衣類Ｍが張り付いた状態で乾燥運転を継続すると、回転ドラム１２内の空気の通気性の低下により本体ケース１０内に吸い込まれる空気の量が減少しているため、吸い込まれた空気がガスバーナ１６１で過熱され、高温に加熱された空気が回転ドラム１２内に供給されて、衣類Ｍを傷めることとなる。
【００６２】
このため、上記給排気ファン１８の回転数が第１中断回転数以上であると判定された場合（ステップＳＴ３でＹＥＳ）、まず、制御回路３０は、空運転の実行履歴から空運転が連続して複数回実行されているかどうかを判断し（ステップＳＴ４）、連続して空運転が実行されていなければ（ステップＳＴ４でＹＥＳ）、空運転の連続実行回数の履歴カウンタに１を加算する（ステップＳＴ５）。そして、点消火回路及びファン作動回路はそれぞれ、バーナユニット１６及びファンモータ１８１を停止し、ドラムモータ１２２のみ作動を継続させて、回転ドラム１２内に加熱された空気が供給されない状態で、回転ドラム１２を回転させる空運転を行う（ステップＳＴ６）。これにより、衣類Ｍを排出口１１１へ吸引する力が弱まり、この状態で回転ドラム１２を所定時間（例えば、３０秒）、回転させるため、排出口１１１に張り付いていた衣類Ｍが剥がれやすくなる（ステップＳＴ７）。しかも、空運転中はバーナユニット１６は停止しているから、本体ケース１０外から本体ケース１０内に吸い込まれる空気の量が減少してても、空気が過熱されず、高温に加熱された空気によって衣類Ｍが損傷することもない。
【００６３】
所定時間、空運転が行われると（ステップＳＴ７でＹＥＳ）、制御回路３０は、バーナユニット１６を作動させることなく、ファン作動回路によりファンモータ１８１を作動させ、回転させている回転ドラム１２内に加熱されていない空気を供給する第１チェック運転を行う（ステップＳＴ８）。
【００６４】
すなわち、図５に示すように、衣類Ｍが排出口１１１から剥がれていれば、回転ドラム１２内の通気性が改善されているから、回転数センサ１８３で検知される給排気ファン１８の回転数は減少する。従って、制御回路３０は、ファン作動回路によりファンモータ１８１を所定時間（例えば、１５秒）、作動させた後（ステップＳＴ９でＹＥＳ）、ファンモータ１８１を作動させた状態で、張り付き判定回路により、回転数センサ１８３で検知される給排気ファン１８の回転数が所定の第１再開許容回転数（例えば、１，９００ｒｐｍ）以下であるかどうかを再度判定する（ステップＳＴ１０）。回転数センサ１８３で検知される給排気ファン１８の回転数が第１再開許容回転数以下であれば（ステップＳＴ１０でＹＥＳ）、衣類Ｍが排出口１１１から剥がれたと判定されて、点消火回路によりバーナユニット１６を点火作動させ、乾燥運転を再開する（ステップＳＴ１）。これにより、一旦、衣類乾燥機を停止させることなく、乾燥運転を再開することができる。なお、第１再開許容回転数は、第１中断回転数と同一であってもよいし、異なっていてもよい。
【００６５】
一方、所定時間、空運転を行った後でも、第１チェック運転で給排気ファン１８の回転数が第１再開許容回転数より大きい場合（ステップＳＴ１０でＮＯ）、依然として回転ドラム１２内の空気の通気性が低下しているから、衣類Ｍが排出口１１１に張り付いたままの状態にある。このため、空運転の連続実行回数に１が加算され（ステップＳＴ５）、ファン作動回路によりファンモータ１８１を再度停止し、ドラムモータ１２２のみの作動を継続して、空気が回転ドラム１２内に供給されない状態で回転ドラム１２を回転させる空運転を再開する（ステップＳＴ６）。
【００６６】
上記空運転を複数回実行することにより、張り付いた衣類Ｍが排出口１１１から剥がれやすくなり、回転ドラム１２内の空気の通気性を回復させることができる。なお、空運転を連続して複数回実行しても、給排気ファン１８の回転数が減少しない場合（ステップＳＴ４でＮＯ）、空運転では衣類Ｍを排出口１１１から剥がすことが困難であるから、制御回路３０は、ファン作動回路によりファンモータ１８１を停止するとともに、ドラム作動回路によりドラムモータ１２２を停止して、ランプなどの報知部から運転エラーを報知し（ステップＳＴ１１）、衣類乾燥機の運転を終了する。これにより、不要な運転を早期に中止できるとともに、使用者に衣類Ｍの張り付きを認識させることができる。また、上記運転停止によれば、回転ドラム１２内の温度が低下しても、乾燥運転が再開されないため、衣類Ｍが排出口１１１に張り付いた状態で、乾燥運転が再開されることを防止できる。
【００６７】
（実施の形態２）
次に、乾燥運転中に排出口１１１への衣類Ｍの張り付きが生じた場合の運転動作の他の一例について、図３の制御フロー、及び図５の給排気ファン１８の回転数の変化を示すグラフを参照して具体的に説明する。なお、本実施の形態２における制御動作は、排出口１１１への衣類Ｍの張り付きを検知する方法が異なる以外は、実施の形態１のそれと同一であるため、主として異なる部分のみを説明する。
【００６８】
実施の形態１と同様に、乾燥運転が開始された後（ステップＳＴ２１〜ＳＴ２２）、給排気ファン１８の回転数が増加してくると、制御回路３０は、一定時間内の給排気ファン１８の回転数の変化量（△回転数）に基づき、衣類Ｍの排出口１１１への張り付きを検知する（ステップＳＴ２３）。すなわち、図５に示すように、乾燥運転中に排出口１１１への衣類Ｍの張り付きが生じた場合、給排気ファン１８の回転数は急激に増加するが、回転数が第１中断回転数まで増加し、安定するには一定時間が必要とされる。これに対し、本実施の形態では、制御回路３０は、監視回路により短時間（例えば、１秒）ごとの給排気ファン１８の回転数を監視し、張り付き判定回路により一定時間（例えば、１０秒）内の給排気ファン１８の回転数の変化量が所定の第２中断回転数（例えば、１００ｒｐｍ）以上かどうかを判定する（ステップＳＴ２３）。これにより、実施の形態１よりもさらに迅速に、給排気ファン１８の回転数が増加し始めた時点で、衣類Ｍの排出口１１１への張り付きを検知できる。
【００６９】
一定時間内の給排気ファン１８の回転数の変化量が第２中断回転数以上であった場合（ステップＳＴ２３でＹＥＳ）、衣類Ｍが排出口１１１に張り付いたと判定され、実施の形態１と同様に、制御回路３０は、点消火回路及びファン駆動回路によりバーナユニット１６及びファンモータ１８１をそれぞれ停止し、空運転を実行する（ステップＳＴ２６）。
【００７０】
また、所定時間、空運転が実行された後（ステップＳＴ２７でＹＥＳ）、実施の形態１と同様に、制御回路３０は、バーナユニット１６を作動させることなく、ファン作動回路によりファンモータ１８１を作動させ、回転させている回転ドラム１２内に加熱されていない空気を供給する第２チェック運転を行ない（ステップＳＴ２８）、ファンモータ１８１を作動させた状態で、上記と同様に、監視回路により短時間（例えば、１秒）ごとの回転数を監視する。そして、張り付き判定回路により回転数センサ１８３で検知される一定時間（例えば、５秒）内の給排気ファン１８の回転数の変化量が所定の第２再開許容回転数（例えば、１００ｒｐｍ）以下であるかどうかを再度判定する（ステップＳＴ３０）。これにより、乾燥運転をより迅速に再開できる。
【００７１】
空運転を複数回実行しても、一定時間内の給排気ファン１８の回転数の変化量が第２再開許容回転数より大きい場合、実施の形態１と同様に、制御回路３０は、ファン作動回路によりファンモータ１８１を停止するとともに、ドラム作動回路によりドラムモータ１２２を停止して、ランプなどの報知部から運転エラーを報知する（ステップＳＴ３１）。なお、第２再開許容回転数は、第２中断回転数と同一であってもよいし、異なっていてもよい。
【００７２】
（実施の形態３）
次に、乾燥運転中に排出口１１１への衣類Ｍの張り付きが生じた場合の運転動作の他の一例について、図４の制御フロー、及び図５の給排気ファン１８の回転数の変化を示すグラフを参照して具体的に説明する。なお、本実施の形態３における制御動作は、排出口１１１への衣類Ｍの張り付きを検知する方法が異なる以外は、実施の形態１のそれと同一であるため、主として異なる部分のみを説明する。
【００７３】
実施の形態１と同様に、乾燥運転が開始されると（ステップＳＴ４１）、まず制御回路３０は、乾燥運転初期（例えば、ファンモータ１８１を作動して１０秒後）における給排気ファン１８の初期回転数を記憶する（ステップＳＴ４２）。
【００７４】
実施の形態１と同様に、乾燥運転が開始された後、制御回路３０は、監視回路により給排気ファン１８の回転数を監視し、張り付き判定回路により回転数と初期回転数との差（回転数−初期回転数）が、所定の第３中断回転数（例えば、２００ｒｐｍ）以上になるかどうかを判定する。すなわち、給排気ファン１８の回転数は回転ドラム１２内に収容される衣類Ｍの量によって異なる。一方、図５に示すように、乾燥運転初期では、排出口１１１に衣類Ｍが張り付いてない可能性が高いから、乾燥運転中の給排気ファン１８の回転数と初期回転数との差が第３中断回転数（例えば、２００ｒｐｍ）以上かどうかを判定すれば（ステップＳＴ４４）、衣類Ｍの量に関わらず、確実に衣類Ｍの排出口１１１への張り付きを検知できる。
【００７５】
上記回転数の差が第３中断回転数以上であった場合（ステップＳＴ４４でＹＥＳ）、衣類Ｍが排出口１１１に張り付いたと判定され、実施の形態１と同様に、制御回路３０は、点消火回路及びファン駆動回路によりバーナユニット１６及びファンモータ１８１をそれぞれ停止し、空運転を実行する（ステップＳＴ４７）。
【００７６】
また、所定時間、空運転が実行された後（ステップＳＴ４８でＹＥＳ）、実施の形態１と同様に、制御回路３０は、バーナユニット１６を作動させることなく、ファン作動回路によりファンモータ１８１を作動させ、回転させている回転ドラム１２内に加熱されていない空気を供給する第３チェック運転を所定時間行ない（ステップＳＴ４９〜ＳＴ５０）、ファンモータ１８１を作動させた状態で、上記と同様に、監視回路により回転数を監視し、さらに張り付き判定回路により回転数センサ１８３で検知される給排気ファン１８の回転数と初期回転数との差が所定の第３再開許容回転数（例えば、２００ｒｐｍ）以下であるかどうかを再度判定する（ステップＳＴ５１）。これにより、乾燥運転をより迅速に再開できる。
【００７７】
空運転を複数回実行しても、回転数の差が第３再開許容回転数より大きい場合、実施の形態１と同様に、制御回路３０は、ファン作動回路によりファンモータ１８１を停止するとともに、ドラム作動回路によりドラムモータ１２２を停止して、ランプなどの報知部から運転エラーを報知する（ステップＳＴ５２）。なお、第３再開許容回転数は、第３中断回転数と同一であってもよいし、異なっていてもよい。
【００７８】
（その他の実施の形態）
ａ）上記実施の形態１〜３ではそれぞれの検知方法により排出口１１１への衣類Ｍの張り付き及び排出口１１１からの衣類Ｍの剥がれを検知しているが、これらの検知方法を組み合わせてもよい。
【００７９】
ｂ）上記実施の形態では、乾燥運転中、単一の基準通電量でファンモータ１８１が制御されているが、衣類Ｍの量が異なる場合など乾燥条件の相違によって複数の基準通電量でファンモータ１８１が制御されてもよい。また、上記実施の形態では、空運転中、回転ドラム１２は一定の回転速度で回転させているが、異なる回転速度で回転ドラム１２を回転させてもよいし、正回転、及び逆回転を繰り返してもよい。
【００８０】
ｃ）上記実施の形態では、乾燥運転中、一定の基準通電量でファン駆動部を作動させた場合に、給排気ファン１８の回転数の増加によって排出口１１１への衣類Ｍの張り付きを検知しているが、他の検知方法を用いてもよい。例えば、乾燥運転中、一定の基準回転数で給排気ファン１８を回転させるようにファンモータ１８１を制御すれば、衣類Ｍが排出口１１１に張り付いた場合、回転ドラム１２内の空気の通気性の低下から、給排気ファン１８の負荷が減少するため、通電量が低下する。従って、例えば、通電量が所定値以上減少した場合を、排出口１１１への衣類Ｍの張り付きとして検知できる。
【００８１】
以上詳細に本発明を説明したが、本発明の好適な態様について例示すれば以下の通りである。
【００８２】
本発明の好適な一態様によれば、
衣類を収容する回転ドラムと、
前記回転ドラムを回転させるドラム駆動部と、
本体ケース外から吸引された空気を、前記回転ドラム内で吹出口から排出口に向かって通過させ、本体ケース外へ排気する給排気ファンと、
前記給排気ファンを駆動するファン駆動部と、
前記回転ドラム内へ供給する空気を加熱する加熱部と、
前記給排気ファンの回転数を検知する衣類張り付き検知部と、
一定の基準通電量で前記ファン駆動部を制御しながら乾燥運転を実行する運転制御部と、を有する衣類乾燥機であって、
前記運転制御部は、
前記ドラム駆動部、前記ファン駆動部、及び前記加熱部を作動させ、前記回転ドラム内に加熱された空気を供給して衣類を乾燥する乾燥運転中に、前記給排気ファンの回転数が第１中断回転数以上に増加した場合、前記排出口への衣類の張り付きが発生したと判定して、前記ファン駆動部及び前記加熱部を停止し、加熱された空気が前記回転ドラム内に供給されない状態で、前記回転ドラムを所定時間、回転させる空運転を実行する衣類乾燥機が提供される。
【００８３】
好ましくは、上記態様の衣類乾燥機において、
前記運転制御部は、
前記所定時間の空運転の実行後に、前記ファン駆動部を作動させて、前記給排気ファンの回転数が第１再開許容回転数以下まで減少するかどうかを判定する第１チェック運転を実行し、
前記第１チェック運転において、前記給排気ファンの回転数が前記第１再開許容回転数以下である場合、前記加熱部を作動させて、前記乾燥運転を再開し、前記給排気ファンの回転数が前記第１再開許容回転数より大きい場合、前記ファン駆動部を停止して、前記空運転を再開する。
【００８４】
また、本発明の好適な他の一態様によれば、
衣類を収容する回転ドラムと、
前記回転ドラムを回転させるドラム駆動部と、
本体ケース外から吸引された空気を、前記回転ドラム内で吹出口から排出口に向かって通過させ、本体ケース外へ排気する給排気ファンと、
前記給排気ファンを駆動するファン駆動部と、
前記回転ドラム内へ供給する空気を加熱する加熱部と、
前記給排気ファンの回転数を検知する衣類張り付き検知部と、
一定の基準通電量で前記ファン駆動部を制御しながら乾燥運転を実行する運転制御部と、を有する衣類乾燥機であって、
前記運転制御部は、
前記ドラム駆動部、前記ファン駆動部、及び前記加熱部を作動させ、前記回転ドラム内に加熱された空気を供給して衣類を乾燥する乾燥運転中に、前記給排気ファンの回転数の一定時間内の変化量が第２中断回転数以上に増加した場合、前記排出口への衣類の張り付きが発生したと判定して、前記ファン駆動部及び前記加熱部を停止し、加熱された空気が前記回転ドラム内に供給されない状態で、前記回転ドラムを所定時間、回転させる空運転を実行する衣類乾燥機が提供される。
【００８５】
好ましくは、上記態様の衣類乾燥機において、
前記運転制御部は、
前記所定時間の空運転の実行後に、前記ファン駆動部を作動させて、前記衣類張り付き検知部により検知される前記給排気ファンの回転数の一定時間内の変化量が第２再開許容回転数以下かどうかを判定する第２チェック運転を実行し、
前記第２チェック運転において、前記給排気ファンの回転数の一定時間内の変化量が前記第２再開許容回転数以下である場合、前記加熱部を作動させて、前記乾燥運転を再開し、前記給排気ファンの一定時間内の回転数の変化量が前記第２再開許容回転数より大きい場合、前記ファン駆動部を停止して、前記空運転を再開する。
【００８６】
また、本発明の好適なさらに他の一態様によれば、
衣類を収容する回転ドラムと、
前記回転ドラムを回転させるドラム駆動部と、
本体ケース外から吸引された空気を、前記回転ドラム内で吹出口から排出口に向かって通過させ、本体ケース外へ排気する給排気ファンと、
前記給排気ファンを駆動するファン駆動部と、
前記回転ドラム内へ供給する空気を加熱する加熱部と、
前記給排気ファンの回転数を検知する衣類張り付き検知部と、
一定の基準通電量で前記ファン駆動部を制御しながら乾燥運転を実行する運転制御部と、を有する衣類乾燥機であって、
前記運転制御部は、前記ドラム駆動部、前記ファン駆動部、及び前記加熱部を作動させ、前記回転ドラム内に加熱された空気を供給して衣類を乾燥する乾燥運転中に、前記衣類張り付き検知部により検知される前記給排気ファンの回転数と、乾燥運転初期における前記給排気ファンの初期回転数との差が第３中断回転数以上である場合、前記排出口への衣類の張り付きが発生したと判定して、前記ファン駆動部及び前記加熱部を停止し、加熱された空気が前記回転ドラム内に供給されない状態で、前記回転ドラムを所定時間、回転させる空運転を実行する衣類乾燥機が提供される。
【００８７】
好ましくは、上記態様の衣類乾燥機において、
前記運転制御部は、
前記所定時間の空運転の実行後に、前記ファン駆動部を作動させて、前記衣類張り付き検知部により検知される前記給排気ファンの回転数と前記初期回転数との差が第３再開許容回転数以下かどうかを判定する第３チェック運転を実行し、
前記第３チェック運転において、前記給排気ファンの回転数と初期回転数との差が前記第３再開許容回転数以下である場合、前記加熱部を作動させて、前記乾燥運転を再開し、前記給排気ファンの回転数と初期回転数との差が前記第３再開許容回転数より大きい場合、前記ファン駆動部を停止して、前記空運転を再開する。
【００８８】
上記いずれの態様における衣類乾燥機においても、好ましくは、
前記運転制御部は、前記空運転を連続して複数回実行後に、前記衣類張り付き検知部により前記排出口への衣類の張り付きが検知されると、前記ドラム駆動部を停止して、運転エラーを報知する。
【符号の説明】
【００８９】
１０  本体ケース
１２  回転ドラム
１６  バーナユニット（加熱部）
１８  給排気ファン
３０  制御回路（運転制御部）
１１１  排出口
１２２  ドラムモータ（ドラム駆動部）
１２３  吹出口
１８１  ファンモータ（ファン駆動部）
１８３  回転数センサ（衣類張り付き検知部）
【図１】
0005511752.tif 000002
【図２】
0005511752.tif 000003
【図３】
0005511752.tif 000004
【図４】
0005511752.tif 000005
【図５】
0005511752.tif 000006